(57)【要約】      （修正有）【課題】拭取り用液体が乾燥してしまうことがなく、各種拭き掃除や手入れ等の使用時に拭取り用液体を即時に拭取り層に浸み込ませることができて便利に使用することができる拭取り層を備えた液体収容袋を提供する。【解決手段】拭取り用液体が収容された袋体１と、前記拭取り用液体を浸み込ませることが可能な材質よりなると共に、中央部分に開孔２１が設けられた拭取り層２と、帯状をなした片体３とを有する。袋体１の一面に拭取り層２が結合され、拭取り層２の上面に片体３が配置されると共に、開孔２１を通じて片体３の一端が袋体１に剥離可能に結合される。使用時に、片体３を袋体１から剥離させると、袋体１の片体３との結合部分が裂けて破裂開口が形成され、袋体１内に収容された拭取り用液体を破裂開口から流出させて拭取り層２に浸み込ませ、拭取りに用いる。【選択図】図１
0003148029.tif 000002
【実用新案登録請求の範囲】
【請求項１】
クレンジング液、クリーナー液、水等の拭取り用液体が収容された袋体と、
前記拭取り用液体を浸み込ませることが可能な材質よりなると共に、中央部分に開孔が設けられた拭取り層と、
帯状をなした片体と、を有し、
前記袋体の一面に前記拭取り層が結合され、前記拭取り層の上面に前記片体が配置されると共に、前記開孔を通じて前記片体の一端が前記袋体に剥離可能に結合され、
前記片体を前記袋体から剥離させた場合、前記袋体の前記片体との結合部分が裂けて破裂開口が形成され、
前記袋体内に収容された前記拭取り用液体が前記破裂開口から流出して前記拭取り層に浸み込む、
ことを特徴とする拭取り層を備えた液体収容袋。
【請求項２】
前記片体の一端に固定部が設けられ、前記開孔を通じて前記固定部が超音波融着またはその他加工方式で前記袋体に剥離可能に結合され、前記片体を前記袋体から剥離させた場合、前記袋体の前記固定部との結合部分が裂けて前記破裂開口が形成される、
ことを特徴とする請求項１に記載の拭取り層を備えた液体収容袋。
【請求項３】
前記片体の他端が、前記袋体及び前記拭取り層の側辺から突出されている、
ことを特徴とする請求項１に記載の拭取り層を備えた液体収容袋。
【請求項４】
クレンジング液、クリーナー液、水等の拭取り用液体が収容された袋体と、
前記拭取り用液体を浸み込ませることが可能な材質よりなると共に、中央部分に開孔が設けられた拭取り層と、
帯状をなした片体と、
前記袋体の幅よりも一側縁の幅が大きく形成された底層と、を有し、
前記袋体の一面に前記拭取り層が結合され、前記拭取り層の上面に前記片体が配置されると共に、前記開孔を通じて前記片体の一端が前記袋体に剥離可能に結合され、
前記袋体の一面に対向した他面に前記底層が配置されると共に、前記底層は前記一側縁を除く他の側縁が前記袋体に結合され、前記袋体と前記底層の前記一側縁との間に外方に開放された手挿入口が形成され、
前記片体を前記袋体から剥離させた場合、前記袋体の前記片体との結合部分が裂けて破裂開口が形成され、
前記袋体内に収容された前記拭取り用液体が前記破裂開口から流出して前記拭取り層に浸み込む、
ことを特徴とする拭取り層を備えた液体収容袋。
【請求項５】
前記片体の一端に固定部が設けられ、前記開孔を通じて前記固定部が超音波融着またはその他加工方式で前記袋体に剥離可能に結合され、前記片体を前記袋体から剥離させた場合、前記袋体の前記固定部との結合部分が裂けて前記破裂開口が形成される、
ことを特徴とする請求項４に記載の拭取り層を備えた液体収容袋。
【請求項６】
前記片体の他端が、前記袋体及び前記拭取り層の側辺から突出されている、
ことを特徴とする請求項４に記載の拭取り層を備えた液体収容袋。
【考案の詳細な説明】
【技術分野】
【０００１】
本考案は、液体収容袋に関し、特に、液体の収容と液体の導出に便利な効果を兼ね備え、拭取りに便利な拭取り層を備えた液体収容袋に関する。
【背景技術】
【０００２】
外出の際に身体が汗をかいたり汚れたりしたとき、その処理方法としてはウェットティッシュで顔や身体の汗や汚れを拭取るのが一般的である。
【０００３】
また、ガラスやショーケース、その他の物品を拭くとき、通常布を水に浸した後に絞ったり、クリーナーをモップに吹き付けたりして水分やクリーナーを含ませた布やモップで拭いている。
【考案の開示】
【考案が解決しようとする課題】
【０００４】
上記のウェットティッシュは、保存が容易でないため、ウェットティッシュを一定期間携帯したり、開封後外界の温度の影響を受けたりすると、その水分を含んだティッシュが乾燥してしまい、ウェットティッシュの作用が失われてしまうことがよくある。
【０００５】
また、布を水に浸した後に絞ったり、クリーナーを布やモップに吹き付ける方法は、先に水の容器やクリーナーを準備したり、拭き掃除の際に水源の場所との間を行ったり来たりする必要があり、非常に面倒で時間がかかる。特に、急に拭く必要があるときに水やクリーナーを取得するのが困難な場合、使用上の問題となる。
【０００６】
そこで、本考案は、これに鑑みてなされたもので、その目的は、拭取り用液体が乾燥してしまうことがなく、各種拭き掃除や手入れ等の使用時に拭取り用液体を即時に拭取り層に浸み込ませることができて便利に使用することができる拭取り層を備えた液体収容袋を提供することにある。
【課題を解決するための手段】
【０００７】
請求項１に係る拭取り層を備えた液体収容袋は、上記課題を解決するために、  
クレンジング液、クリーナー液、水等の拭取り用液体が収容された袋体と、  
前記拭取り用液体を浸み込ませることが可能な材質よりなると共に、中央部分に開孔が設けられた拭取り層と、  
帯状をなした片体と、を有し、  
前記袋体の一面に前記拭取り層が結合され、前記拭取り層の上面に前記片体が配置されると共に、前記開孔を通じて前記片体の一端が前記袋体に剥離可能に結合され、  
前記片体を前記袋体から剥離させた場合、前記袋体の前記片体との結合部分が裂けて破裂開口が形成され、  
前記袋体内に収容された前記拭取り用液体が前記破裂開口から流出して前記拭取り層に浸み込む、ことを特徴とするものである。
【０００８】
請求項２に係る拭取り層を備えた液体収容袋は、請求項１に係る拭取り層を備えた液体収容袋において、前記片体の一端に固定部が設けられ、前記開孔を通じて前記固定部が超音波融着またはその他加工方式で前記袋体に剥離可能に結合され、前記片体を前記袋体から剥離させた場合、前記袋体の前記固定部との結合部分が裂けて前記破裂開口が形成される、ことを特徴とするものである。
【０００９】
請求項３に係る拭取り層を備えた液体収容袋は、請求項１に係る拭取り層を備えた液体収容袋において、前記片体の他端が、前記袋体及び前記拭取り層の側辺から突出されている、ことを特徴とするものである。
【００１０】
請求項４に係る拭取り層を備えた液体収容袋は、  
クレンジング液、クリーナー液、水等の拭取り用液体が収容された袋体と、  
前記拭取り用液体を浸み込ませることが可能な材質よりなると共に、中央部分に開孔が設けられた拭取り層と、  
帯状をなした片体と、  
前記袋体の幅よりも一側縁の幅が大きく形成された底層と、を有し、  
前記袋体の一面に前記拭取り層が結合され、前記拭取り層の上面に前記片体が配置されると共に、前記開孔を通じて前記片体の一端が前記袋体に剥離可能に結合され、  
前記袋体の一面に対向した他面に前記底層が配置されると共に、前記底層は前記一側縁を除く他の側縁が前記袋体に結合され、前記袋体と前記底層の前記一側縁との間に外方に開放された手挿入口が形成され、  
前記片体を前記袋体から剥離させた場合、前記袋体の前記片体との結合部分が裂けて破裂開口が形成され、  
前記袋体内に収容された前記拭取り用液体が前記破裂開口から流出して前記拭取り層に浸み込む、ことを特徴とするものである。
【００１１】
請求項５に係る拭取り層を備えた液体収容袋は、請求項４に係る拭取り層を備えた液体収容袋において、前記片体の一端に固定部が設けられ、前記開孔を通じて前記固定部が超音波融着またはその他加工方式で前記袋体に剥離可能に結合され、前記片体を前記袋体から剥離させた場合、前記袋体の前記固定部との結合部分が裂けて前記破裂開口が形成される、ことを特徴とするものである。
【００１２】
請求項６に係る拭取り層を備えた液体収容袋は、請求項４に係る拭取り層を備えた液体収容袋において、前記片体の他端が、前記袋体及び前記拭取り層の側辺から突出されている、ことを特徴とするものである。
【考案の効果】
【００１３】
請求項１に係る拭取り層を備えた液体収容袋によれば、使用時に、片体を袋体から剥すと、片体が剥されたことで袋体の片体との結合部分が裂けて破裂開口が形成され、そこから袋体内に収納されていた拭取り用液体を流出させて拭取り層に浸み込ませることができるので、拭取り用液体が乾燥してしまうことがなく、各種拭き掃除や手入れ等の使用時に拭取り用液体を即時に拭取り層に浸み込ませることができて便利に使用することができる。よって、人体や顔の拭取りに使用することができ、ウェットティッシュ携帯の手間を省くことができる。
【００１４】
請求項２に係る拭取り層を備えた液体収容袋によれば、請求項１に係る拭取り層を備えた液体収容袋が奏する効果に加え、片体が、全体でなく、その一端の固定部で袋体に剥離可能に結合されている構造であるので、袋体から片体を簡単に剥すことができる。
【００１５】
請求項３に係る拭取り層を備えた液体収容袋によれば、請求項１又は２に係る拭取り層を備えた液体収容袋が奏する効果に加え、片体の他端が袋体及び拭取り層の側辺から突出されているので、片体を剥す場合に、片体の他端を容易に摘むことができ、片体の他端を引っ張ることで袋体から片体を楽に剥すことができる。
【００１６】
請求項４に係る拭取り層を備えた液体収容袋によれば、使用時に、手を底層と袋体の間に形成された手挿入口から内方に挿入し、片体を袋体から剥すと、袋体は片体が剥されて袋体に破裂開口が形成され、そこから拭取り用液体を流出させて拭取り層に浸み込ませることができるので、例えば、ガラスやショーケース、その他物品の拭き掃除に使用すると、非常に楽に拭き取りを行うことができる。
【００１７】
請求項５に係る拭取り層を備えた液体収容袋によれば、請求項４に係る拭取り層を備えた液体収容袋が奏する効果に加え、片体が、全体でなく、その一端の固定部で袋体に剥離可能に結合されている構造であるので、袋体から片体を簡単に剥すことができる。
【００１８】
請求項６に係る拭取り層を備えた液体収容袋によれば、請求項４又は５に係る拭取り層を備えた液体収容袋が奏する効果に加え、片体の他端が袋体及び拭取り層の側辺から突出されているので、片体を剥す場合に、片体の他端を容易に摘むことができ、片体の他端を引っ張ることで袋体から片体を楽に剥すことができる。
【考案を実施するための最良の形態】
【００１９】
以下、図面を参照して本考案の実施の形態を説明する。  
［第１実施形態］  
図１は本考案の第１実施形態に係る拭取り層を備えた液体収容袋を分解して示す斜視図である。また、図２は第１実施形態に係る拭取り層を備えた液体収容袋を示す斜視図であり、図３は第１実施形態に係る拭取り層を備えた液体収容袋の使用時を示す斜視図である。
【００２０】
図１に示すように、本考案の第１実施形態に係る拭取り層を備えた液体収容袋は、主として、例えば、クレンジング液、クリーナー液、水等の拭取り用液体が収容された袋体１と、拭取り用液体を浸み込ませることが可能な材質（例えば、不織布やその他同タイプの清掃や手入れに用いる布材）よりなると共に、中央部分に開孔２１が設けられた拭取り層２と、帯状をなした片体３とを有している。
【００２１】
第１実施形態の袋体１は、矩形状をなすと共に辺縁全体が閉じられて密封された液体収容部１１に形成され、液体収容部１１の内部に拭取り用液体が充填されている。片体３は細長い形状を呈し、本実施形態において、片体３の一端には固定部３１（プラスチック等の材質）が設けられている。
【００２２】
図１乃至図２に示すように、袋体１の一面に拭取り層２が配置され、拭取り層２と袋体１とが、例えば、超音波融着またはその他加工方式で結合され、さらに、拭取り層２の上面に帯状の片体３が配置されると共に、開孔２１を通じて片体３の固定部３１が袋体１に、例えば、超音波融着またはその他加工方式で剥離可能に袋体１に結合されて片体３が袋体１に固定されている。また、片体３の他端が袋体１及び拭取り層２の側辺から突出されている。
【００２３】
拭取り層を備えた液体収容袋の使用時には、図３に示すように、片体３を袋体１から剥すと、片体３が剥されたことで袋体１の片体３との結合部分が裂けて破裂開口１２が形成されるので、破裂開口１２から袋体１の液体収容部１１内に収納されていた拭取り用液体を流出させて拭取り層２に浸み込ませることができる。これにより、拭取り層を備えた液体収容袋を手に持って、人体や顔の拭取りに用いることができ、ウェットティッシュ携帯の手間を省くことができる。
【００２４】
本考案の拭取り層を備えた液体収容袋は、非使用時には、拭取り用液体は袋体１に収容されているので、ウェットティッシュのように拭取り用液体が乾燥してしまうことがない。また、使用時に、片体３の他端が袋体１及び拭取り層２の側辺から突出されているので、片体３を剥す場合に、片体３の他端を容易に摘むことができ、片体３の他端を引っ張ることで袋体１から片体３を楽に剥すことができる。
【００２５】
［第２実施形態］
図４は本考案の第２実施形態に係る拭取り層を備えた液体収容袋を分解して示す斜視図である。また、図５は第２実施形態に係る拭取り層を備えた液体収容袋を示す斜視図であり、図６は第２実施形態に係る拭取り層を備えた液体収容袋の使用時を示す斜視図である。
【００２６】
第２実施形態に係る拭取り層を備えた液体収容袋は、第１実施形態の拭取り層を備えた液体収容袋が備える各構成と同等の構成を備えているため、共通する構成についての詳細な説明は省略するが、この構成に加え、袋体１の幅よりも一側縁の幅が大きく形成された底層４（例えば、不織布または一般に掃除や手入れに用いることができる材料）を有している点が異なる。
【００２７】
図５に示すように、袋体１の一面に拭取り層２が結合され、拭取り層２の上面に片体３が配置されると共に、開孔２１を通じて片体３の一端に形成された固定部３１が袋体１に、例えば、超音波融着またはその他加工方式で剥離可能に結合されている。
【００２８】
さらに、袋体１の一面に対向した他面に底層４が配置されると共に、底層４の一側縁を除く他の側縁が袋体１に結合され、袋体１と底層４の一側縁との間に外方に開放された手挿入口４１が形成されている（図５参照）。また、片体３の他端が袋体１及び拭取り層２の側辺から突出されている。
【００２９】
以上のように構成された第２実施形態に係る拭取り層を備えた液体収容袋の使用について説明する。使用時に、手を底層４と袋体１の間に形成された手挿入口４１から内方に挿入し、片体３を袋体１から剥すと、袋体１の片体３の固定部３１との結合部分が裂けて袋体１に破裂開口１２が形成され、そこから拭取り用液体を流出させて拭取り層２に浸み込ませることができるので（図６参照）、別途クリーナーや水を準備する必要がなく、例えば、ガラスやショーケース、その他物品の拭き掃除に使用すると、非常に楽に拭き取りを行うことができる。
【００３０】
また、使用時に、片体３の他端が袋体１及び拭取り層２の側辺から突出されているので、片体３を剥す場合に、片体３の他端を容易に摘むことができ、片体３の他端を引っ張ることで袋体１から片体３を楽に剥すことができる。
【図面の簡単な説明】
【００３１】
【図１】図１は本考案の第１実施形態に係る拭取り層を備えた液体収容袋を分解して示す斜視図である。
【図２】図２は第１実施形態に係る拭取り層を備えた液体収容袋を示す斜視図である。
【図３】図３は第１実施形態に係る拭取り層を備えた液体収容袋の使用時を示す斜視図である。
【図４】本考案の第２実施形態に係る拭取り層を備えた液体収容袋を分解して示す斜視図である。
【図５】第２実施形態に係る拭取り層を備えた液体収容袋を示す斜視図である。
【図６】第２実施形態に係る拭取り層を備えた液体収容袋の使用時を示す斜視図である。
【符号の説明】
【００３２】
１  袋体
１１  液体収容部
１２  破裂開口
２  拭取り層
２１  開孔
３  片体
３１  固定部
４  底層
４１  手挿入口
【図１】
0003148029.tif 000003
【図２】
0003148029.tif 000004
【図３】
0003148029.tif 000005
【図４】
0003148029.tif 000006
【図５】
0003148029.tif 000007
【図６】
0003148029.tif 000008